【手続補正書】
【提出日】平成23年5月19日(2011.5.19)
【手続補正１】
【補正対象書類名】特許請求の範囲
【補正対象項目名】全文
【補正方法】変更
【補正の内容】
【特許請求の範囲】
【請求項１】
少なくとも１つの電子取引所に接続されるコンピュータ上で電子的に第１の商品と第２の商品を同時に又は連動して売買するために、第１、第２の商品に関係する市場情報を表示する電子取引方法であって、
前記少なくとも１つの電子取引所から、第１の商品に関する第１の複数の価格及び各価格に対応するビッド数量またはアスク数量、並びに該第１の複数の価格内における最高ビッド価格及び最低アスク価格を含む第１の市場データを受信し、記憶部に保持するステップと、
前記少なくとも１つの電子取引所から、第２の商品に関する第２の複数の価格及び各価格に対応するビッド数量またはアスク数量、並びに該第２の複数の価格内における最高ビッド価格及び最低アスク価格を含む第２の市場データを受信し、該記憶部に保持するステップと、
保持された第１の市場データと第２の市場データを該記憶部から読み出し、演算部において読み出した第１の市場データに含まれる第１の複数の価格内における最高ビッド価格と第２の市場データに含まれる第２の複数の価格内における最低アスク価格の差を減算演算によって求めると共に、第１の市場データに含まれる第１の複数の価格内における最低アスク価格と第２の市場データに含まれる第２の複数の価格内における最高ビッド価格の差を減算演算によって求めてスプレッド用の最高ビッド価格及びスプレッド用の最低アスク価格を作成するステップと、
該スプレッド用の最高ビッド価格に対応する第１の価格レベルに対し第１のインジケータをスプレッド価格軸に沿って動的に該表示部に表示し、該スプレッド用の最高ビッド価格が変動すると、該第１のインジケータもスプレッド価格軸に沿って対応する位置に変わるステップと、
該スプレッド用の最低アスク価格に対応する第２の価格レベルに対し第２のインジケータを該スプレッド価格軸に沿って動的に該表示部に表示し、該スプレッド用の最低アスク価格が変動すると、該第２のインジケータもスプレッド価格軸に沿って対応する位置に変わるステップとを有することを特徴とする電子取引方法。
【請求項２】
前記スプレッド価格軸は、求められたスプレッド用の最高ビッド価格及びスプレッド用の最低アスク価格の少なくともいずれか一方に基づくことを特徴とする請求項１に記載の電子取引方法。
【請求項３】
前記スプレッド価格軸は、求められた最高ビッド価格又は求められた最低アスク価格が変化しても移動しないことを特徴とする請求項１に記載の電子取引方法。
【請求項４】
前記スプレッド価格軸は静的に表示されることを特徴とする請求項１に記載の電子取引方法。
【請求項５】
前記読み出した第１の市場データに含まれる第１の複数の価格内における最高ビッド価格と第２の市場データに含まれる第２の複数の価格内における最低アスク価格の少なくとも一方が、前記演算部において所定のパラメータで掛け算されてから、両者の差が求められると共に、前記読み出した第１の市場データに含まれる第１の複数の価格内における最低アスク価格と第２の市場データに含まれる第２の複数の価格内における最高ビッド価格の少なくとも一方が、前記演算部において所定のパラメータで掛け算されてから、両者の差が求められることを特徴とする請求項１に記載の電子取引方法。
【請求項６】
更に、前記演算部において、第１の市場データにおける最高ビッドの量と第２の市場データにおける最低アスクの量の差及び第１の市場データにおける最低アスクの量と第２の市場データにおける最高ビッドの量の差を用い、スプレッド用の最高ビッドの量及びスプレッド用の最低アスクの量を減算演算によって求めることを特徴とする請求項１に記載の電子取引方法。
【請求項７】
少なくとも１つの電子取引所に接続されるコンピュータ上で電子的に第１の商品と第２の商品を同時に又は連動して売買するために、第１、第２の商品に関係する市場情報を表示する電子取引装置であって、
前記少なくとも１つの電子取引所から、第１の商品に関する第１の複数の価格及び各価格に対応するビッド数量またはアスク数量、並びに該第１の複数の価格内における最高ビッド価格及び最低アスク価格を含む第１の市場データを受信し、記憶部に保持する手段と、
前記少なくとも１つの電子取引所から、第２の商品に関する第２の複数の価格及び各価格に対応するビッド数量またはアスク数量、並びに該第２の複数の価格内における最高ビッド価格及び最低アスク価格を含む第２の市場データを受信し、該記憶部に保持する手段と、
保持された第１の市場データと第２の市場データを該記憶部から読み出し、演算部において読み出した第１の市場データに含まれる第１の複数の価格内における最高ビッド価格と第２の市場データに含まれる第２の複数の価格内における最低アスク価格の差を減算演算によって求めると共に、第１の市場データに含まれる第１の複数の価格内における最低アスク価格と第２の市場データに含まれる第２の複数の価格内における最高ビッド価格の差を減算演算によって求めてスプレッド用の最高ビッド価格及びスプレッド用の最低アスク価格を作成する手段と、
該スプレッド用の最高ビッド価格に対応する第１の価格レベルに対し第１のインジケータをスプレッド価格軸に沿って動的に該表示部に表示し、該スプレッド用の最高ビッド価格が変動すると、該第１のインジケータもスプレッド価格軸に沿って対応する位置に変わらせる手段と、
該スプレッド用の最低アスク価格に対応する第２の価格レベルに対し第２のインジケータを該スプレッド価格軸に沿って動的に該表示部に表示し、該スプレッド用の最低アスク価格が変動すると、該第２のインジケータもスプレッド価格軸に沿って対応する位置に変わらせる手段とを有することを特徴とする電子取引装置。
【請求項８】
前記スプレッド価格軸は、求められたスプレッド用の最高ビッド価格及びスプレッド用の最低アスク価格の少なくともいずれか一方に基づくことを特徴とする請求項７に記載の電子取引装置。
【請求項９】
前記スプレッド価格軸は、求められた最高ビッド価格又は求められた最低アスク価格が変化しても移動しないことを特徴とする請求項７に記載の電子取引装置。
【請求項１０】
前記スプレッド価格軸は静的に表示されることを特徴とする請求項７に記載の電子取引装置。
【請求項１１】
前記読み出した第１の市場データに含まれる第１の複数の価格内における最高ビッド価格と第２の市場データに含まれる第２の複数の価格内における最低アスク価格の少なくとも一方が、前記演算部において所定のパラメータで掛け算されてから、両者の差が求められると共に、前記読み出した第１の市場データに含まれる第１の複数の価格内における最低アスク価格と第２の市場データに含まれる第２の複数の価格内における最高ビッド価格の少なくとも一方が、前記演算部において所定のパラメータで掛け算されてから、両者の差が求められることを特徴とする請求項７に記載の電子取引装置。
【請求項１２】
更に、前記演算部において、第１の市場データにおける最高ビッドの量と第２の市場データにおける最低アスクの量の差及び第１の市場データにおける最低アスクの量と第２の市場データにおける最高ビッドの量の差を用い、スプレッド用の最高ビッドの量及びスプレッド用の最低アスクの量を減算演算によって求めることを特徴とする請求項７に記載の電子取引装置。
【請求項１３】
コンピュータに請求項１に記載の方法を実行させるためのプログラムを記録したコンピュータ読み取り可能な記録媒体。
【請求項１４】
コンピュータに請求項１に記載の方法を実行させるためのプログラム。